(57)【要約】【課題】顔料の分散安定性に優れたカールの少ない低水分インクを提供すること。【解決手段】本発明のインクジェットインク組成物は、顔料と、水と、トリエチレングリコールと、２−ピロリドンと、トリエチレングリコールモノブチルエーテルと、ジエチレングリコールモノエチルエーテルアセタート、又はジエチレングリコールモノブチルエーテルアセタートのいずれかと、を含有し、水の含有量はトリエチレングリコールの含有量より少ない。【選択図】なし【特許請求の範囲】
【請求項１】
顔料と、水と、トリエチレングリコールと、２−ピロリドンと、トリエチレングリコールモノブチルエーテルと、
ジエチレングリコールモノエチルエーテルアセタート、又はジエチレングリコールモノブチルエーテルアセタートのいずれかと、を含有し、
インクジェットインク組成物の全質量に対する、前記水の含有量は前記トリエチレングリコールの含有量より少ないインクジェットインク組成物。
【請求項２】
前記水の含有量がインクジェットインク組成物の全質量に対して、４０質量％以下である、請求項１に記載のインクジェットインク組成物。
【請求項３】
前記ジエチレングリコールモノエチルエーテルアセタート及び前記ジエチレングリコールモノブチルエーテルアセタートの合計含有量がインクジェットインク組成物の全質量に対して、１５質量％未満である、請求項１または請求項２に記載のインクジェットインク組成物。
【請求項４】
インクジェットインク組成物の全質量に対する、前記トリエチレングリコールの含有量が前記２−ピロリドンの含有量以上である、請求項１から請求項３のいずれか１項に記載のインクジェットインク組成物。
【発明の詳細な説明】
【技術分野】
【０００１】
本発明は、インクジェットインク組成物に関する。
【背景技術】
【０００２】
インクジェット記録方法は、微細な吐出ノズルからインク組成物の液滴を吐出して飛翔させ、紙などの記録媒体に付着させて印刷を行う方法である。この方法は、比較的安価な装置で高解像度かつ高品位な画像を、高速で印刷可能であるという特徴を有する。このようなインクジェット記録方法に使用されるインクジェットインク組成物には、使用される記録媒体に応じて、多様な色材や溶媒が用いられている。
【０００３】
オフィス用途においては、記録媒体（例えば、普通紙、コート紙、アート紙、普通紙両面印刷等）の制約を受けずに高速でフルカラー印刷が行えるシステムのニーズが益々高まりつつある。インクジェットインク組成物の組成についても、高速を実現するために種々の検討がなされている。たとえば、特許文献１には、普通紙印刷時のカールや裏抜けを抑制するための、水の含有量が４５質量％未満のインクジェット用インクが開示されている。
【先行技術文献】
【特許文献】
【０００４】
【特許文献１】特開２００５−２２０２９６
【発明の概要】
【発明が解決しようとする課題】
【０００５】
しかしながら、特許文献１に記載された組成では、水の含有量が３０質量％以下の組成時に顔料の分散性を担保することが容易ではないという課題があった。これは、オフィス向けのインクジェットインク組成物に用いる顔料に、印刷濃度の向上を目的として、紙となじみやすい性質を持たせていることに起因する。紙の主成分であるセルロースは、分子内に親水基であるＯＨ基を有していることから、オフィス向けのインク組成物に用いる顔料は親水性が高い傾向にあり、したがって、水の含有量が少なく有機溶剤が多い組成である程、顔料の分散性を担保することが容易ではなくなる。
【０００６】
一方で、顔料の分散性を担保するために、インク組成物の中の水の含有量を増やすと、印刷時にカールが発生しやすくなるという課題もあった。カールは、インク組成物に含まれる水が記録媒体中に浸透して膨潤し、その後、水が蒸発して膨潤が緩和することによって発生する。すなわち、カールの発生を抑制すると共に、顔料の分散安定性を向上させるインクジェットインク組成物が求められていた。
【課題を解決するための手段】
【０００７】
本願のインクジェットインク組成物は、顔料と、水と、トリエチレングリコールと、２−ピロリドンと、トリエチレングリコールモノブチルエーテルと、ジエチレングリコールモノエチルエーテルアセタート、又はジエチレングリコールモノブチルエーテルアセタートのいずれかと、を含有し、インクジェットインク組成物の全質量に対する、水の含有量はトリエチレングリコールの含有量より少ないインクジェットインク組成物である。
【０００８】
上記のインクジェットインク組成物においては、水の含有量がインクジェットインク組成物の全質量に対して、４０質量％以下であるインクジェットインク組成物であることが好ましい。
【０００９】
ジエチレングリコールモノエチルエーテルアセタート及びジエチレングリコールモノブチルエーテルアセタートの合計含有量がインクジェットインク組成物の全質量に対して、１５質量％未満であるインクジェットインク組成物であることが好ましい。
【００１０】
インクジェットインク組成物の全質量に対する、トリエチレングリコールの含有量が２−ピロリドンの含有量以上であるインクジェットインク組成物であることが好ましい。
【発明を実施するための形態】
【００１１】
インクジェットインク組成物は、インクジェット法により、インクジェットヘッドの吐出ノズルから、微小なインク滴（インクジェットインク組成物の液滴）を普通紙などの記録媒体に対して吐出し、画像、色彩、文字、模様などを形成する用途に供される。
【００１２】
本実施形態に係るインクジェットインク組成物は、顔料と、水と、トリエチレングリコールと、２−ピロリドンと、トリエチレングリコールモノブチルエーテルと、ジエチレングリコールモノエチルエーテルアセタート、又はジエチレングリコールモノブチルエーテルアセタートのいずれかと、を含有し、インクジェットインク組成物の全質量に対する、水の含有量はトリエチレングリコールの含有量より少ないインクジェットインク組成物である。以下、本実施形態に係るインクジェットインク組成物に含有される各成分について説明する。なお、以降の説明において、インクジェットインク組成物を、単にインク組成物ともいう。
【００１３】
［インク組成物］
＜顔料＞
無機顔料としては、ファーネスブラック、ランプブラック、アセチレンブラック、チャネルブラック等のカーボンブラック（Ｃ．Ｉ．（Colour Index Generic Name）ピグメントブラック７）類、酸化鉄、酸化チタンを使用することができる。
【００１４】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００１５】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等以上、コロンビアカーボン社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサが挙げられる。
【００１６】
ホワイトインクに使用される顔料としては、Ｃ．Ｉ．ピグメントホワイト  ６，１８，２１が挙げられる。
【００１７】
イエローインクに使用される顔料としては、Ｃ．Ｉ．ピグメントイエロー  １，２，３，４，５，６，７，１０，１１，１２，１３，１４，１６，１７，２４，３４，３５，３７，５３，５５，６５，７３，７４，７５，８１，８３，９３，９４，９５，９７，９８，９９，１０８，１０９，１１０，１１３，１１４，１１７，１２０，１２４，１２８，１２９，１３３，１３８，１３９，１４７，１５１，１５３，１５４，１５５，１６７，１７２，１８０が挙げられる。
【００１８】
マゼンタインクに使用される顔料としては、Ｃ．Ｉ．ピグメントレッド  １，２，３，４，５，６，７，８，９，１０，１１，１２，１４，１５，１６，１７，１８，１９，２１，２２，２３，３０，３１，３２，３７，３８，４０，４１，４２，４８（Ｃａ），４８（Ｍｎ），５７（Ｃａ），５７：１，８８，１１２，１１４，１２２，１２３，１４４，１４６，１４９，１５０，１６６，１６８，１７０，１７１，１７５，１７６，１７７，１７８，１７９，１８４，１８５，１８７，２０２，２０９，２１９，２２４，２４５、Ｃ．Ｉ．ピグメントヴァイオレット  １９，２３，３２，３３，３６，３８，４３，５０が挙げられる。
【００１９】
シアンインクに使用される顔料としては、Ｃ．Ｉ．ピグメントブルー  １，２，３，１５，１５：１，１５：２，１５：３，１５：３４，１５：４，１６，１８，２２，２５，６０，６５，６６、Ｃ．Ｉ．バット ブルー  ４，６０が挙げられる。
【００２０】
また、マゼンタ、シアン、及びイエロー以外の顔料としては、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００２１】
顔料の含有量は、特に限定されないが、インク組成物の全質量に対して、例えば、０．１質量％以上３０質量％以下とすることが好ましい。より好ましくは、１質量％以上２０質量％以下であり、さらに好ましくは１質量％以上１５質量％以下である。顔料の含有量を上記の範囲内とすることにより、インクジェットによって記録した媒体において、顔料の発色を確保すると共に、インク組成物の粘度上昇やインクジェットヘッドの目詰まりの発生を抑えることができる。
【００２２】
顔料は、インク組成物中での分散性を高めるために、顔料に表面処理を施すか、分散剤などを配合することが好ましい。顔料の表面処理とは、物理的処理または化学的処理によって、顔料の粒子表面にカルボキシ基やスルホ基などの親水性基を導入する方法である。顔料の表面処理によって、顔料を水性溶媒中に分散することが可能となる。
【００２３】
分散剤は、分子構造における疎水部（疎水基）が顔料の粒子表面に吸着し、親水部（親水基）が溶媒側（媒体側）に配向する作用を有している。この作用により、顔料を水性溶媒中で分散することが可能となる。分散剤としては、公知の界面活性剤や樹脂を用いることが可能である。また、樹脂などで顔料粒子を被覆し、分散性を付与する方法を用いてもよい。顔料粒子を被覆する方法としては、酸析法、転相乳化法、ミニエマルション重合法などが採用できる。
【００２４】
＜水＞
【００２５】
※CL２サポート
水は、本実施形態の媒体の中で最も粘度が低く、顔料分散性が最も高い溶剤である。したがって、インクジェットインク組成物の低粘度化と顔料分散性の向上を目的として配合する。ただし、本実施形態の媒体の中で最も紙となじみやすく、含有量が多くなると、記録媒体のカールが大きくなるため、水の含有量はインクジェットインク組成物の全質量に対して、４０質量％以下であることが好ましい。より好ましくは３０質量％以下である。
【００２６】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、凝集液を長期保存する場合にカビやバクテリアの発生を防止することができる。これにより貯蔵安定性がより向上する傾向にある。
【００２７】
＜トリエチレングリコール＞
トリエチレングリコールは、分子内にＯＨ基を２つ持つために、顔料分散性が良好であるが、粘度が高い（５０ｍＰａ・ｓ）ため、インクジェットインク組成物の低粘度化の観点から、水と、２−ピロリドンと、トリエチレングリコールモノブチルエーテルと、ジエチレングリコールモノエチルエーテルアセタート、又はジエチレングリコールモノブチルエーテルアセタートのいずれかと、を組み合わせることが好ましい。
【００２８】
＜２−ピロリドン＞
２−ピロリドンは、親水基であるＮＨ基を有するために、顔料分散性が比較的良好で、さらに、粘度が比較的低い（１７．２ｍＰａ・ｓ）といった利点を持つ。一方で、トリエチレングリコールに比べて、カールが大きくなるため、トリエチレングリコールの含有量が２−ピロリドンの含有量以上であることが好ましい。
【００２９】
＜トリエチレングリコールモノブチルエーテル＞
トリエチレングリコールモノブチルエーテルは、本実施形態の媒体の中で、比較的粘度が低い（１０．１ｍＰａ・ｓ）、ＰＰアタック性が殆どない、といった利点を持つが、含有量が多くなると顔料分散性が悪くなる傾向があるため、含有量は、トリエチレングリコールの含有量よりも少ないことが好ましい。
【００３０】
＜ジエチレングリコールモノエチルエーテルアセタート、又はジエチレングリコールモノブチルエーテルアセタート＞
ジエチレングリコールモノエチルエーテルアセタート（以降、単に「ＥＤＧＡＣ」ということもある。）、又はジエチレングリコールモノブチルエーテルアセタート（以降、単に「ＢＤＧＡＣ」ということもある。）は、本実施形態の媒体の中で、粘度が最も低い（ＥＤＧＡＣ ２．８９ｍＰａ・ｓ／ＢＤＧＡＣ ３．６３ｍＰａ・ｓ）ため、インク組成物の媒体として使用することで、インク組成物の低粘度化を図ることができる。一方で、顔料分散性を悪化させ、また、ＰＰアタック性を有するために、ジエチレングリコールモノエチルエーテルアセタート及びジエチレングリコールモノブチルエーテルアセタートの合計含有量は、インクジェットインク組成物の全質量に対して、１５質量％未満であることが好ましい。より好ましくは、１０質量％以下である。
【００３１】
＜その他の成分＞
本実施形態のインクジェットインク組成物は、その他の成分として、スチレンアクリル酸共重合体等の樹脂、ワックス、溶解助剤、粘度調整剤、水酸化カリウムやトリエタノールアミン等のｐＨ調整剤、酸化防止剤、防カビ・防腐剤、防黴剤、腐食防止剤、分散に影響を与える金属イオンを捕獲するためのキレート化剤（例えば、エチレンジアミン四酢酸ナトリウム）等の、種々の添加剤を適宜含有することもできる。
【００３２】
［インク組成物］
本実施形態のインク組成物は、上述した成分を任意の順序で混合し、必要に応じてろ過などを実施して不純物や異物などを除去することで調製することができる。各成分の混合方法としては、メカニカルスターラー、マグネティックスターラーなどの撹拌装置を備えた容器に、材料を順次添加して撹拌、混合する方法が用いられる。ろ過の方法としては、遠心ろ過、フィルターろ過などが採用できる。
【００３３】
本実施形態のインク組成物は、画像品質とインク組成物としての信頼性とのバランスの観点から、その粘度をインクジェットインク組成物として適正な範囲に容易に設定できる。本実施形態に係るインク組成物の２０℃における粘度は、例えば、２ｍＰａ・ｓ以上５０ｍＰａ・ｓ以下であり、２ｍＰａ・ｓ以上３５ｍＰａ・ｓ以下であることが好ましく、２ｍＰａ・ｓ以上２５ｍＰａ・ｓ以下であることがより好ましい。
粘度の測定は、粘弾性試験機ＭＣＲ３０１（Ａｎｔｏｎ−Ｐａａｒ社製）を用いて、２０℃の環境下で、Ｓｈｅａｒ  Ｒａｔｅを１０〜１０００に上げていき、Ｓｈｅａｒ  Ｒａｔｅが２００の時の粘度を読み取ることにより測定することができる。
【００３４】
本実施形態に係るインクジェットインク組成物は、画像品質とインクジェット用インクとしての信頼性とのバランスの観点から、２０℃における表面張力が２０ｍＮ／ｍ以上５０ｍＮ／ｍであることが好ましく、２５ｍＮ／ｍ以上４０ｍＮ／ｍ以下であることがより好ましい。なお、表面張力の測定は、自動表面張力計（ＣＢＶＰ−Ｚ、協和界面科学社製）を用いて、２０℃の環境下で白金プレートをインクで濡らしたときの表面張力を確認することにより測定することができる。
【００３５】
インクジェットインク組成物中の水の含有量は、カールフィッシャー水分計ＭＫＡ−５２０（京都電子工業社製）により、測定することができる。
【００３６】
本実施形態における有機溶剤成分の含有量は、例えば、ガスクロマトグラフィー質量分析法（ＧＣ／ＭＳ）、液体クロマトグラフィー−質量分析法（ＬＣ／ＭＳ）、電界脱離質量分析法（ＦＤ／ＭＳ）等を単独あるいは組み合わせて用いる分析を行なうことにより、測定することができる。
【００３７】
［インクジェット記録方法］
本実施形態のインクジェットインク組成物を用いた記録方法においては、例えば、インクジェットインク組成物を装填したプリンター等により、デジタル信号に基づきインクジェットヘッドよりインクを液滴として吐出させ記録媒体（例えば、普通紙、コート紙、アート紙、普通紙両面印刷等）に付着させることでインクジェットプリントが得られる。ここで、顔料の分散性が良いインクジェットインク組成物を用いると、ヘッドに顔料の凝集物が詰まることなく連続的吐出が可能となるために任意のインクジェットプリントが得ることができる。
【００３８】
また、この工程において、カールは、インク組成物に含まれる水が記録媒体中に浸透して膨潤し（例えば、セルロース繊維の水素結合が切断）、その後、水が蒸発して膨潤が緩和する（例えば、セルロース繊維中で水素結合が再生成）ことによって生じる。したがって、インク組成物中の水の含有量を抑えることで、カールの発生を抑制することができる。
【００３９】
以上に述べたように、本実施形態に係るインクジェットインク組成物によれば、顔料の分散安定性に優れたカールの少ない低水分インクを提供することができる。
【００４０】
以下に、本実施形態のインク組成物について、実施例および比較例を示して本実施形態の効果をより具体的に説明する。
【００４１】
［インク組成物の調製］
各材料を下記の表１に示す組成で混合し、十分に撹拌し、各組成物を得た。なお、下記の表１における数値の単位は質量％であり、合計は１００．０質量％である。また、数値の記載のない欄は含有しないことを意味する。
【００４２】
表中成分のうち、トリエチレングリコール（ＴＥＧ）、２−ピロリドン（２Ｐ）、トリエチレングリコールモノブチルエーテル（ＴＥＧｍＢＥ）、ジエチレングリコールモノエチルエーテルアセタート（ＥＤＧＡＣ）、ジエチレングリコールモノブチルエーテルアセタート（ＢＤＧＡＣ）については、上記括弧内の略称を用いて表記した。
【００４３】
【表１】
2020063341.tif 000002
【００４４】
実施例１のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が５質量％に対して、ＴＥＧの含有量は３３質量％であった。
【００４５】
実施例２のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が１０質量％に対して、ＴＥＧの含有量は２５質量％であった。
【００４６】
実施例３のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が２０質量％に対して、ＴＥＧの含有量は２４質量％であった。
【００４７】
実施例４のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が３０質量％に対して、ＴＥＧの含有量は３２質量％であった。
【００４８】
実施例５のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が４０質量％に対して、ＴＥＧの含有量は４２質量％であった。
【００４９】
実施例６のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が１０質量％に対して、ＴＥＧの含有量は４５質量％であった。
【００５０】
実施例７のインク組成物は、顔料として、Ｃ．Ｉ．ピグメントブラック７を、有機溶剤として、ＥＤＧＡＣ、ＴＥＧｍＢＥ、ＴＥＧ、２Ｐを含んでおり、インク組成物の中の水の含有量が２０質量％に対して、ＴＥＧの含有量は３６質量％であった。
【００５１】
実施例８のインク組成物は、顔料として、Ｃ．Ｉ．ピグメントブラック７を、有機溶剤として、ＢＤＧＡＣ、ＴＥＧｍＢＥ、ＴＥＧ、２Ｐを含んでおり、インク組成物の中の水の含有量が２０質量％に対して、ＴＥＧの含有量は３６質量％であった。
【００５２】
実施例９のインク組成物は、顔料として、Ｃ．Ｉ．ピグメントブラック７を、有機溶剤として、ＥＤＧＡＣ、ＢＤＧＡＣ、ＴＥＧｍＢＥ、ＴＥＧ、２Ｐを含んでおり、インク組成物の中の水の含有量が２０質量％に対して、ＴＥＧの含有量は３６質量％であった。
【００５３】
比較例１のインク組成物は、顔料として、Ｃ．Ｉ．ピグメントブラック７を、有機溶剤として、ＴＥＧを含んでおり、インク組成物の中の水の含有量が６０質量％に対して、ＴＥＧの含有量は３３質量％であった。
【００５４】
比較例２のインク組成物は、顔料として、Ｃ．Ｉ．ピグメントブラック７を、有機溶剤として、ＥＤＧＡＣ、ＴＥＧｍＢＥ、ＴＥＧを含んでおり、インク組成物の中の水の含有量が３０質量％に対して、ＴＥＧの含有量は１５質量％であった。
【００５５】
比較例３のインク組成物は、顔料として、Ｃ．Ｉ．ピグメントブラック７を、有機溶剤として、ＥＤＧＡＣ、ＴＥＧｍＢＥを含んでおり、インク組成物の中の水の含有量が３０質量％に対して、ＴＥＧの含有量は０質量％であった。
【００５６】
比較例４のインク組成物は、顔料として、Ｃ．Ｉ．ピグメントブラック７を、有機溶剤として、ＥＤＧＡＣ、ＴＥＧｍＢＥ、ＴＥＧを含んでおり、インク組成物の中の水の含有量が２０質量％に対して、ＴＥＧの含有量は１０質量％であった。
【００５７】
［評価］
実施例および比較例のインク組成物について、以下に述べる評価を実施して、その評価結果を表に示した。
【００５８】
＜用紙スタック性＞
印刷時に発生するカールの評価指標として、用紙スタック性を評価した。具体的には、インクジェット記録装置（インクジェットプリンターＰＸ−Ｍ７０５０（セイコーエプソン社製））を準備し、そのインクジェット記録装置のインクカートリッジに各インク組成物を充填し、Ａ４サイズの普通紙（商品名Ｐ、富士ゼロックス社）に温度２５℃、湿度５０％の環境下において、下記パターン条件、普通紙標準モードでベタパターンを５０枚連続で印刷した。
（パターン条件）
印刷Ｄｕｔｙ＝１００％、縁幅＝１ｍｍ、印刷面積＝記録媒体の全体。
（評価基準）
Ａ：５０枚すべてスタックできる。
Ｂ：３０枚までスタックできる。
Ｃ：１５枚までスタックできる。
Ｄ：５枚スタックできない。
【００５９】
＜顔料分散性＞
各インク組成物を３０ｃｃのスクリュー管に２０ｇ入れた後、温度２５℃、湿度５０％の環境下で１週間放置した際の粘度の変化率と沈殿有無について評価を実施した。ここで、粘度測定には、粘弾性試験機（ＭＣＲ３０１、Ａｎｔｏｎ−Ｐａａｒ社）を使用した。
（評価基準）
Ａ：１週間後に沈殿発生がなく、粘度変化率が５％未満。
Ｂ：１週間後に沈殿発生がなく、粘度変化率が１０％未満。
Ｃ：１週間後に沈殿が発生する。
Ｄ：インク組成物の調整直後に沈殿が発生する。
【００６０】
＜ＰＰアタック性＞
ＰＰアタック性は、印刷物をポリプロピレン（ＰＰ）製のクリアフォルダーに挿入した際の変形量に関する特性である。水の含有量が少なく、有機溶剤の含有量が多いインク組成においては、印刷物をポリプロピレン（ＰＰ）製のクリアフォルダーに挟むと、有機溶剤がクリアフォルダーに移行することにより、クリアフォルダーの内側だけが膨張し、クリアフォルダーが外向きにめくれあがるように反り返ったり、波打つ等して変形する。特に、記録媒体に高いＤｕｔｙで記録した印刷物をクリアフォルダーに挟むと、クリアフォルダーが外向きに大きく反り返って使用に支障が生じる問題がある。
【００６１】
各インク組成物をＡ４サイズのＸｅｒｏｘＰ紙に温度２５℃、湿度５０％の環境下において、♯２のバーコーターを用いて塗布した後、ＰＰ製のクリアフォルダーに挿入した。印字物を挿入したクリアフォルダーは、温度２５℃、湿度５０％の環境下に１週間、横置きで静置した。その後、静置したクリアフォルダーの外向きに反り返った量を、定規を用いて測定し、その値を変形量として評価した。
（評価基準）
Ａ：変形量  １０ｍｍ未満。
Ｂ：変形量  １０ｍｍ以上２０ｍｍ未満。
Ｃ：変形量  ２０ｍｍ以上３０ｍｍ未満。
Ｄ：変形量  ３０ｍｍ以上。
【００６２】
【表２】
2020063341.tif 000003
【００６３】
表２に示したように、実施例１から実施例９のインク組成物は、顔料分散性において、「適」レベルに相当するＢ判定以上であることがわかる。用紙スタック性に関しても、実施例１から実施例９のインク組成物は、「可」レベルに相当するＣ判定以上であることがわかる。ここで、実施例のインク組成物の中で、インク組成物の中の水の含有量が４０質量％未満のものについては、用紙スタック性が「適」レベルに相当するＢ判定以上であることから、インク組成物の中の水の含有量は、４０質量％未満であることがより好ましいことがわかる。
【００６４】
ＰＰアタック性に関しても、実施例１から実施例９のインク組成物は「可」レベルに相当するＣ判定以上であることがわかる。ここで、実施例のインク組成物の中で、ＥＤＧＡＣ及びＢＤＧＡＣの合計含有量がインク組成物の全質量に対して、１５質量％未満のものについては、「適」レベルに相当するＢ判定以上であることから、インク組成物の中のＥＤＧＡＣ及びＢＤＧＡＣの合計含有量は、１５質量％未満であることが好ましいことがわかる。
【００６５】
一方で、比較例１のインク組成物は用紙スタック性が「不可」レベルに相当するＤ判定であり、比較例２〜４については、顔料分散性を担保できなかったため、用紙スタック性の評価を実施することができなかった。また、ＥＤＧＡＣ及びＢＤＧＡＣの合計含有量がインク組成物の全質量に対して、１５質量％を超える比較例２〜４においては、ＰＰアタック性が「不可」レベルに相当するＤ判定であった。
【００６６】
以上のように、表２に記載の結果から明らかなように、本実施形態に係るインクジェットインク組成物は、比較例に対して、顔料の分散安定性に優れたカールの少ない低水分インクであることがわかる。
【００６７】
以下に、実施形態から導き出される内容を記載する。
【００６８】
インクジェットインク組成物は、顔料と、水と、トリエチレングリコールと、２−ピロリドンと、トリエチレングリコールモノブチルエーテルと、ジエチレングリコールモノエチルエーテルアセタート、又はジエチレングリコールモノブチルエーテルアセタートのいずれかと、を含有し、インクジェットインク組成物の全質量に対する、水の含有量はトリエチレングリコールの含有量より少ない。
【００６９】
この構成によれば、顔料の分散安定性に優れたカールの少ない低水分インクを実現できる。インクジェットインク用組成物を、親水性の高いトリエチレングリコール及び２−ピロリドンを上記の関係となるように配合することで、水の含有量が少ない組成においても顔料の分散性を担保することができる。さらに、粘度が低く、カールが発生しない溶剤であるトリエチレングリコールモノブチルエーテルと、ジエチレングリコールモノエチルエーテルアセタート、又はジエチレングリコールモノブチルエーテルアセタートと、を含むことで、顔料の分散性だけでなく、カールの少ない低水分インクを実現することができる。
【００７０】
上記インクジェットインク組成物は、水の含有量がインクジェットインク組成物の全質量に対して、４０質量％以下であることが好ましい。
【００７１】
この構成によれば、水によるカールを低減することができる。詳しくは、水の含有量をインクジェットインク組成物の全質量に対して、４０質量％以下にすることで、インク組成物に含まれる水が記録媒体中に浸透して膨潤し（例えば、セルロース繊維の水素結合が切断）、その後、水が蒸発して膨潤が緩和する（例えば、セルロース繊維中で水素結合が再生成）ことによって生じるカールの発生を抑制することができる。
【００７２】
上記インクジェットインク組成物は、ジエチレングリコールモノエチルエーテルアセタート及びジエチレングリコールモノブチルエーテルアセタートの合計含有量がインクジェットインク組成物の全質量に対して、１５質量％未満であるインクジェットインク組成物であることが好ましい。
【００７３】
この構成によれば、ジエチレングリコールモノエチルエーテルアセタート及びジエチレングリコールモノブチルエーテルアセタートの配合によるインク組成物の低粘度化を図りつつ、ＰＰアタック性の低減を実現することができる。
【００７４】
上記インクジェットインク組成物は、インクジェットインク組成物の全質量に対する、トリエチレングリコールの含有量が２−ピロリドンの含有量以上であるインクジェットインク組成物であることが好ましい。
【００７５】
この構成によれば、本実施形態の有機溶剤の中で最もカール特性が悪い２−ピロリドンによるカール特性の悪化を抑制しつつ、２−ピロリドンによるインク組成物の低粘度化を図ることができる。